(57)【要約】【課題】ディレクトリがＤＶＤ用であるのかの判断をする必要が無く、管理が容易であり、ＤＶＤディスクイメージを選択するメニュー画面を容易に構築できるようにする。【解決手段】ネットワークを介して、コンテンツに関するメタデータファイル及びコンテンツ画像ファイルによるコンテンツ情報と、前記コンテンツとしての複数ファイルを取り込む第１の手段と、前記コンテンツ情報を用いて、情報記憶媒体の特定ディレクトリ（フォルダ）下にコンテンツ毎にサブディレクトリを作成する第２の手段と、作成した前記サブディレクトリに、前記複数ファイルを格納する第３の手段と、を有する。【選択図】      図１
2008011400.tif 000002
【特許請求の範囲】
【請求項１】
ネットワークを介して、コンテンツに関するメタデータファイル及びコンテンツ画像ファイルによるコンテンツ情報と、前記コンテンツとしての複数ファイルを取り込む第１の手段と、
前記コンテンツ情報を用いて、情報記憶媒体の特定ディレクトリ（フォルダ）下にコンテンツ毎にサブディレクトリを作成する第２の手段と、
作成した前記サブディレクトリに、前記複数ファイルを格納する第３の手段と、
を有したことを特徴とする情報記録再生装置。
【請求項２】
さらに、配信サーバーが管理しているコンテンツリストを要求し、前記コンテンツリストが配信されたとき、当該コンテンツリストを表示する手段を有することを特徴とする請求項１記載の情報記録再生装置。
【請求項３】
前記コンテンツは、それぞれＤＶＤディスクイメージのコンテンツであり、このコンテンツを構成するデータ構造のサイズ情報を格納したコンテンツ・ヘッダを有することを特徴とする請求項１記載の情報記録再生装置。
【請求項４】
前記第３の手段は、
前記コンテンツ・ヘッダの情報を利用して、ダウンロードしたＤＶＤディスクイメージのコンテンツを、ＤＶＤビデオ管理情報であるビデオマネージャを基点として、１つ以上のビデオタイトルセットとの配置関係を保持して情報記憶媒体に記録する手段を含む
ことを特徴とする請求項１記載の情報記録再生装置。
【請求項５】
インターネットを介して情報を送信する配信方法において、
コンテンツとしての複数のファイルをコンテンツリストで管理し、さらに前記複数のファイルに付随してメタデータファイル及びコンテンツ画像ファイルによるコンテンツ情報を管理する管理手段を有し、前記管理手段は、
受信側から前記コンテンツリストの要求信号があると前記コンテンツリストを送出し、
前記受信側から前記コンテンツリストの中から選択されたコンテンツのコンテンツ情報の要求信号があると、該当するコンテンツ情報を送出し、
前記受信側から前記コンテンツ情報に基づいて、コンテンツの要求信号があると、該当するコンテンツのファイルを送出する
ことを特徴とするコンテンツ配信方法。
【請求項６】
前記送出されるコンテンツのファイルは、ＤＶＤディスクイメージのコンテンツであり、このコンテンツを構成するデータ構造のサイズ情報を格納したコンテンツ・ヘッダを有することを特徴とする請求項５記載のコンテンツ配信方法。
【発明の詳細な説明】
【技術分野】
【０００１】
この発明は、コンテンツ配信方法と情報記録再生装置に関し、例えばデジタルバーサタイルディスク（ＤＶＤ）規格のコンテンツを配信する、また配信されたコンテンツを記録再生する技術に係わるものである。
【背景技術】
【０００２】
ＤＶＤ規格に基づいた情報記録再生装置が普及し、また、記録再生されるコンテンツをサーバーから提供する方法も検討されている。サーバーを利用してコンテンツを提供する技術としては、例えば特許文献１に記載された技術がある。
【０００３】
一方、配信を受けた情報記録再生装置の記録媒体においてデータ管理を行なうためには、通常はルートディレクトリを利用する方法が採用される（例えば特許文献２）。この文献２では、従来のＤＶＤディスクイメージをルートディレクトリ直下に複数格納することが開示されている。しかし、どのディレクトリがＤＶＤ用のディスクなのかを判断するには、別ディレクトリに格納されたコンテンツテーブル（ＣＴＡＢ）を取得し、ディレクトリ毎に判定しなければならない。
【０００４】
このように、データ管理を行なうための仕組みは、複雑になるとそれだけ処理機能に負担がかかり、さらなる改良が望まれる。
【特許文献１】特開２００４−３１２４１４号
【特許文献２】特開２００１−２５８００９号
【発明の開示】
【発明が解決しようとする課題】
【０００５】
この発明に係る実施の形態は、特定のディレクトリ（ＶＩＤＥＯ＿ＤＣ）内のサブディレクトリにて複数の受信コンテンツを管理することで、いちいちディレクトリがＤＶＤ用であるのかの判断をする必要が無く、管理が容易なコンテンツ配信方法と記録再生装置を提供することを目的とする。
【０００６】
また、複数の受信コンテンツ（ＤＶＤディスクイメージ）を一枚のディスクに格納するようにし、コンテンツ毎のコンテンツ情報を格納したメタデータファイル及びコンテンツ代表画像を格納した画像ファイルを一緒に配信側から提供してもらうことで、複数のＤＶＤディスクイメージを選択するメニュー画面を容易に構築できるようにしたコンテンツ配信方法と記録再生装置を提供することを目的とする。
【課題を解決するための手段】
【０００７】
この発明は、上記の課題を解決するために、ネットワークを介して、コンテンツに関するメタデータファイル及びコンテンツ画像ファイルによるコンテンツ情報と、前記コンテンツとしての複数ファイルを取り込む第１の手段と、前記コンテンツ情報を用いて、情報記憶媒体の特定ディレクトリ（フォルダ）下にコンテンツ毎にサブディレクトリを作成する第２の手段と、作成した前記サブディレクトリに、前記複数ファイルを格納する第３の手段と、を有したことを特徴とする。また配信方法としては、コンテンツとしての複数のファイルをコンテンツリストで管理し、さらに前記複数のファイルに付随してメタデータファイル及びコンテンツ画像ファイルによるコンテンツ情報を管理する管理手段を有し、前記管理手段は、受信側から前記コンテンツリストの要求信号があると前記コンテンツリストを送出し、前記受信側から前記コンテンツリストの中から選択されたコンテンツのコンテンツ情報の要求信号があると、該当するコンテンツ情報を送出し、前記受信側から前記コンテンツ情報に基づいて、コンテンツの要求信号があると、該当するコンテンツのファイルを送出することを特徴とする。
【発明の効果】
【０００８】
上記の手段により、いちいちディレクトリがＤＶＤ用であるのかの判断をする必要が無く、管理が容易である。また、コンテンツ毎のコンテンツ情報を格納したメタデータファイル及びコンテンツ代表画像を格納した画像ファイルを一緒に配信側から提供してもらうことで、複数のＤＶＤディスクイメージを選択するメニュー画面を容易に構築できる。
【発明を実施するための最良の形態】
【０００９】
以下、図面を参照しながらこの発明の実施の形態を説明する。図１は、本発明が適用された実施例の記録再生装置を示すブロック図である。記録再生装置は、基本的に、記録ブロック１０、制御ブロック２０及び再生ブロック３０から構成される。
【００１０】
ダウンロードするＤＶＤコンテンツは、配信側サーバー１００からインターネット１０１を経由し、ブロードバンドネットワーク上で、ルーター１０２を通り、記録ブロック１０に送られる。
【００１１】
記録ブロック１０内には、ネットワーク制御部１０３が、配信側サーバー１００とのデータ授受において、ネットワークプロトコルの制御及びセキュリティの確保を行う。ネットワーク制御部１０３の制御により、ダウンロードしたＤＶＤコンテンツは、ディスクイメージとして、一旦データキャッシュ１０４に格納される。この時、データ容量が大きい場合には、ハードディスクドライブ（ＨＤＤ）など記録媒体に一時的に記録する（図示せず）。データキャッシュ１０４に格納されたＤＶＤコンテンツは、データフォーマッタ部１０５により、ＤＶＤフォーマットのディスクイメージ（コンテンツ）の状態で、ディスクドライブ部２０１の光ピックアップ（図示せず）を介し、記録型ディスク２００に記録される。
【００１２】
再生時は、次のようになる。記録型ディスク２００に記録されたＤＶＤコンテンツは、ディスクドライブ部２０１の光ピックアップで読み出され、再生ブロック３０内のデータプロセッサ部３００で、エラー訂正処理が施される。次に、エラー訂正処理されたコンテンツは、分離部（ＤＭＵＸ）３０１において、ＭＰＥＧプログラムストリームとして処理され、ビデオパック、副映像パック、オーディオパックに分離される。ビデオパックはビデオデコーダ部３０２へ、副映像パックは副映像デコーダ部３０３へ、オーディオパックはオーディオデコーダ部３０４へ送信される。
【００１３】
ビデオデコーダ部３０２は、ビデオパック内のエレメンタリデータをデコードし、ビデオプロセッサ部３０５へ送信する。また副映像デコーダ部３０３は、副映像パック内のエレメンタリデータをデコードし、ビデオプロセッサ部３０５へ送信する。ビデオプロセッサ部３０５は、デコードされたビデオと副映像のデータを重畳して出力する。このデータは、デジタルアナログ（Ｄ／Ａ）変換部３０６でアナログ変換されビデオ出力端子に出力される。出力されたビデオ信号は、表示器４０で表示される。
【００１４】
オーディオデコーダ部３０４は、オーディオパック内のエレメンタリデータをデコードする。デコードデータは、Ｄ／Ａ変換部３０７でアナログ変換されオーディオ出力端子に出力される。出力されたオーディオ信号はスピーカシステム５０から出力される。
【００１５】
制御ブロック２０のマルチプロセッシングユニット（ＭＰＵ）部２０２は、ＲＯＭ部２０３に格納されるプログラムにより、記録ブロック１０及び再生ブロック３０を含むシステム全体を制御する。また、キー入力部２０５から入力されるユーザの入力指示により、再生、記録などの処理を実行する。メモリ部２０４は、ステータス情報などを一時的に格納し、またシステム情報を不揮発メモリに格納する。
【００１６】
図２は、この実施形態に係るディレクトリ（フォルダ）構成の一例を示す図である。図２に示す様に、ＲＯＯＴディレクトリＤ１の直下に従来のＤＶＤ−Ｖｉｄｅｏ規格に準拠した専用ディレクトリのＶＩＤＥＯ＿ＴＳディレクトリＤ１１が存在し、その下にＤＶＤ−Ｖｉｄｅｏ規格に準拠したファイル群が格納される。
【００１７】
また、ＶＩＤＥＯ＿ＴＳディレクトリＤ１１と同一階層には、ダウンロードコンテンツ用ディレクトリとしてＶＩＤＥＯ＿ＤＣディレクトリＤ１２が存在し、またその他のディレクトリ群又はその他のファイル群Ｄ１３が存在する。
【００１８】
ＶＩＤＥＯ＿ＤＣディレクトリＤ１２の階下には、配信されるコンテンツ毎にディレクトリ（Ｄ１２１〜Ｄ１２３）が作成され、その中にＤＶＤ−Ｖｉｄｅｏ規格に準拠したファイル群が格納される。これらは、１つ以上の配信されたＤＶＤディスクイメージをそのままサブディレクトリとして格納できる構成となっている。
【００１９】
このように、サブディレクトリ毎にＤＶＤディスクイメージを格納することができるため、異なるコンテンツ（異なるメーカー間のコンテンツ）を１つのディスクに複数格納することができる。例えばＡ社配信のコンテンツ＃１用ディレクトリ、Ａ社配信のコンテンツ＃２用ディレクトリ、Ｂ社配信のコンテンツ用ディレクトリ、と言う風に複数のサブディレクトリを構築することができる。
【００２０】
図３は、ＤＶＤ−Ｖｉｄｅｏ規格のＶＩＤＥＯ＿ＴＳディレクトリＤ１１に格納されるファイルの構成例を示す図である。この中には、ビデオマネージャ（ＶＭＧ）用ファイル群４１１、１つ以上、最大９９までのビデオタイトルセット（ＶＴＳ）用ファイル群４１２が格納される。
【００２１】
図４（図面で、図６になっています。図６が２つあります。）は、上記したＶＩＤＥＯ＿ＤＣディレクトリＤ１２に格納されるディレクトリ及びファイルの構成例を示す図である。図４に示す様に、例えば、Ａ社配信のコンテンツ用ＶＩＤＥＯ＿Ａ１ディレクトリＤ１２１内に従来のＤＶＤ−Ｖｉｄｅｏ規格のファイル群と区別するために拡張子を変更した（例えば、「ＶＩＤＥＯ＿ＴＳ．ＩＦＯ」→「ＶＩＤＥＯ＿ＴＳ．ＩＤＣ」）ファイル群が格納される。そして、ここでは、図３の例と同様に、ビデオマネージャ（ＶＭＧ）用ファイル群４２１、１つ以上、最大９９までのビデオタイトルセット（ＶＴＳ）用ファイル群４２２が格納される。他の配信されるコンテンツ毎のディレクトリも同様なファイル構成である。
【００２２】
図５は、図４で示したＶＩＤＥＯ＿ＤＣディレクトリＤ１２に格納されるＤＶＤディスクイメージを構成するコンテンツのファイル群に加えて、コンテンツ供給者が新たに配信用に用意した、配信コンテンツの情報を記録したメタデータファイル（内容は図９に示す）、コンテンツの代表画像ファイル及びタイトルジャケットの画像ファイル（例えば、ＪＰＥＧファイル）等のコンテンツ情報ファイル群４２３を格納する例を示す図である。
【００２３】
これら、コンテンツ供給者が新たに用意した配信コンテンツの情報（コンテンツ名、タイトル数及び各タイトル名）を記録したメタデータファイルと、コンテンツを代表する画像及びタイトルジャケットの画像ファイルを利用して、ディスクに格納されるコンテンツ（タイトル）を選択するメニューを再生装置側で作成することができる。
【００２４】
図６（Ａ），（Ｂ）は、本発明を採用したディスク（ボリューム空間）上のデータ配置例を示す。図６（Ａ）は、Ａ社のダウンロードコンテンツを記録する場合、図６（Ｂ）は、図６（Ａ）の情報に引き続き、Ｂ社のダウンロードコンテンツを記録する場合の記録例を示している。図６（Ａ）、（Ｂ）において、先ずＵＤＦ（ユニバーサルディスクフォーマット）とＩＳＯ９６６０のファイルシステムでブリッジ構成されたＵＤＦブリッジのボリューム及びファイルシステム４００が配置され、続いてＶＩＤＥＯ＿ＴＳディレクトリＤ１１の領域を示すＤＶＤビデオゾーン４１０が配置され、この中には、ビデオマネージャ（ＶＭＧ）４１１及び１つ以上のビデオタイトルセット（ＶＴＳ）４１２が格納される。最後にＤＶＤビデオゾーン以外４２０が配置される。
【００２５】
図６（Ａ）の場合、Ａ社のダウンロードコンテンツは、ＶＩＤＥＯ＿ＤＣディレクトリＤ１２領域にサブディレクトリＶＩＤＥＯ＿Ａ１ディレクトリＤ１２１が作成され、この中に、Ａ社コンテンツのＡ１ビデオマネージャ（ＶＭＧ）４２１、１つ以上のＡ１ビデオタイトルセット（ＶＴＳ）４２２及びコンテンツ情報（Ａ１）４２３が格納される。
【００２６】
また図６（Ｂ）の場合、Ｂ社のダウンロードコンテンツは、ＶＩＤＥＯ＿ＤＣディレクトリＤ１２領域にサブディレクトリＶＩＤＥＯ＿Ｂ１ディレクトリＤ１２３が作成され、この中に、Ｂ社コンテンツのＢ１ビデオマネージャ（ＶＭＧ）４２４、１つ以上のＢ１ビデオタイトルセット（ＶＴＳ）４２５及びコンテンツ情報（Ｂ１）４２６が格納される。
【００２７】
図７は、図６（Ａ）で示したビデオマネージャ（ＶＭＧ）４１１及びＡ社コンテンツのＡ１ビデオマネージャ（ＶＭＧ）４２１のデータ構造を示したものである。同図に示す様に、ビデオマネージャ（ＶＭＧ）４１１は、ビデオマネージャインフォメーション（ＶＭＧＩ）４１１ａ、ビデオマネージャメニュービデオオブジェクトセット（ＶＭＧＭ＿ＶＯＢＳ）４１１ｂ（存在は任意）及びビデオマネージャインフォメーションバックアップ（ＶＭＧＩ＿ＢＵＰ）４１１ｃで構成される。
【００２８】
また、Ａ１ビデオマネージャ（ＶＭＧ）４２１は、ＶＭＧＩ４２１ａ、ＶＭＧＭ＿ＶＯＢＳ４２１ｂ（存在は任意）及びＶＭＧＩ＿ＢＵＰ４２１ｃから構成される。これらは、データ構成は同じであるが、区別するために、ファイルの拡張子名が異なる（例えば、ＶＩＤＥＯ＿ＴＳ．ＩＦＯ（４１１ａ）→ＶＩＤＥＯ＿ＴＳ．ＩＤＣ（４２１ａ）とされる）。
【００２９】
図８は、図６（Ｂ）で示したビデオタイトルセット（ＶＴＳ）４１２及びＡ１ビデオタイトルセット（ＶＴＳ）４２２のデータ構造を示したものである。同図に示す様に、ビデオタイトルセット（ＶＴＳ）４１２は、ビデオタイトルセットインフォメーション（ＶＴＳＩ）４１２ａ、ＶＴＳＭ＿ＶＯＢＳ４１２ｂ（存在は任意）、ＶＴＳＴＴ＿ＶＯＢＳ４１２ｃ及びＶＴＳＩ＿ＢＵＰ４１２ｄから構成される。また、Ａ１ビデオタイトルセット（ＶＴＳ）４２２は、ＶＴＳＩ４２２ａ、ＶＴＳＭ＿ＶＯＢＳ４２２ｂ（存在は任意）、ＶＴＳＴＴ＿ＶＯＢＳ４２２ｃ及びＶＴＳＩ＿ＢＵＰ４２２ｄから構成される。
【００３０】
図９は、Ａ社のコンテンツ情報ファイル群４２３（又はＢ社のコンテンツ情報４２６）の中のメタデータファイルの一例を示している。この中には、番号と対応するコンテンツ情報を記述したテキスト情報が列挙される。
【００３１】
例えば、００：本ファイルで使用するキャラクタセットコード、０１：本ファイルの名称、０２：コンテンツ供給会社の名称、０３：コンテンツ配信会社の名称、０４：コンテンツ名、０５：コンテンツ代表画像ファイル名、０６：タイトル数、０７：タイトル名、０８：タイトルのジャケット画像ファイル名（０７と０８はタイトル数分が記述される）及び９９：（終了コード）等が格納されている。
【００３２】
図１０は、本発明の方法におけるダウンロードプロセスの例を説明する図である。同図において、受信側（機器側）は、図１の記録ブロック１０のネットワーク制御部１０３に対応する。また配信側（供給側）は、図１の配信側サーバー１００に対応する。
【００３３】
以下に、各ステップに符号を付してダウンロードプロセスを記述する：
（Ｓ０１）受信側より、配信側のコンテンツ配信サーバーへ接続。配信側へコンテンツリストを要求（Ｒ０１）、コンテンツリストとは、配信側であるサーバー１００に格納される管理情報の一種である。コンテンツリストは、例えば、コンテンツを提供する会社名で分類され、さらに、各会社欄のコンテンツがジャンル、タイトル名などで分類されている。また、コンテンツリストは、テレビジョン番組表の如く形成されていてもよい。
【００３４】
（Ｓ０２）配信側より、コンテンツリストを配信。受信側へコンテンツリストを送信（Ａ０１）、
（Ｓ０３）受信側で、受信したコンテンツリストを表示し、ユーザへ選択させる、
（Ｓ０４）受信側で、コンテンツリストからコンテンツが選択される。配信側へ選択コンテンツ情報（メタデータ及び画像ファイル）の配信要求（Ｒ０２）、コンテンツ情報は、選択されたコンテンツに付属する管理情報であり、コンテンツに関するファイル名、タイトル数、タイトル名、タイトルの各代表画像の画像ファイルなどが含まれる。
【００３５】
（Ｓ０５）配信側で、コンテンツ情報（メタデータ及び画像ファイル）を配信。受信側へコンテンツ情報を送信（Ａ０２）、
（Ｓ０６）受信側で、ディスクのＶＩＤＥＯ＿ＤＣディレクトリ下にサブディレクトリを作成し、受信したコンテンツ情報を格納、
（Ｓ０７）受信側で、コンテンツ情報受信完了。配信側へ選択コンテンツ（ＤＶＤビデオ形式）の配信要求（Ｒ０３）。
【００３６】
（Ｓ０８）配信側で、コンテンツ（ＤＶＤビデオ形式）を配信。受信側へコンテンツを送信（Ａ０３）、
（Ｓ０９）受信側で、ディスクのＶＩＤＥＯ＿ＤＣディレクトリ下の作成したサブディレクトリに、受信したコンテンツ（ＤＶＤビデオ形式）を格納、
（Ｓ１０）受信側で、コンテンツ受信完了。別のコンテンツをダウンロードする場合には、（Ｓ０４）〜（Ｓ０９）を繰り返す。
【００３７】
図１１は、図９で説明したコンテンツ情報を格納したメタデータファイルを利用して、テキストメニューを表示するための再生プロセスの例を示したものである。以下に、再生プロセスを記述する。
【００３８】
開始：
（Ｓ１１）ディスクのＶＩＤＥＯ＿ＤＣディレクトリ下のサブディレクトリに格納される各メタデータファイルからテキスト表記のコンテンツ情報を取得する、
（Ｓ１２）取得した各コンテンツ供給会社名（対応番号０２）、コンテンツ名（対応番号０４）のテキストを利用して、コンテンツ選択メニューを作成、表示する、
（Ｓ１３）同様に、コンテンツ名（０４）、タイトル数（対応番号０６）及びタイトル名（対応番号０７）のテキストを利用して、タイトル選択メニューを作成、表示する、
（Ｓ１４）表示されたコンテンツ名（０４）及びタイトル名（０７）をユーザがメニューより選択する、
（Ｓ１５）ユーザにより選択されたコンテンツ名（０４）から、再生すべきサブディレクトリを決定する、
（Ｓ１６）決定されたサブディレクトリ内のタイトル数（０６）が、１つか判定する。
【００３９】
（Ｓ１７）（Ｓ１６）において、タイトル数（０６）が１つの場合は、通常のＤＶＤ再生を実行する。（ＦＰ＿ＰＧＣＩ（ディスク挿入後に最初に処理されるコマンド情報の集合）があればこれを実行）、
（Ｓ１８）（Ｓ１６）において、タイトル数（０６）が複数の場合は、ユーザにより選択されたタイトル名（０７）から、再生すべきタイトルを決定する、
（Ｓ１９）（Ｓ１８）にて決定したタイトル再生を実行する。（タイトル指定再生ファンクションを実行）、
終了：。
【００４０】
図１２は、図９、図１１で説明したテキストを使用したメニューが画面で表示された例を示す図である。同図に示す様に、コンテンツ選択メニューＴＭ１は、Ａ社のメタデータファイルに格納されるテキスト情報と、Ｂ社のメタデータファイルに格納されるテキスト情報から、両方のコンテンツ名（対応番号０４）を使用して、選択メニューを作成、表示することを示している。また、Ａ社のコンテンツを選択した場合、Ａ社のメタデータファイルに格納されたテキスト情報から、タイトル数（対応番号０６）及びタイトル名（対応番号０７）を使用して、“ＣＯＮＴＥＮＴ＿Ａ１”のタイトル選択メニューＴＭ１１を作成、表示する。
【００４１】
同様に、Ｂ社のコンテンツを選択した場合、Ｂ社のメタデータファイルに格納されたテキスト情報から、タイトル数（対応番号０６）及びタイトル名（対応番号０７）を使用して、“スポーツ”のタイトル選択メニューＴＭ１２を作成、表示する。
【００４２】
図１３は、図９で説明したコンテンツ情報を格納したメタデータファイル及び図５で説明したコンテンツ情報ファイル群４２３の画像ファイルを利用して、画像メニューを表示するための再生プロセスの例を示したものである。
【００４３】
以下に、再生プロセスを記述する、
開始：
（Ｓ２１）ディスクのＶＩＤＥＯ＿ＤＣディレクトリ下のサブディレクトリに格納される各メタデータファイルからテキスト表記のコンテンツ情報を取得する、
（Ｓ２２）取得した各コンテンツ代表画像ファイル名（対応番号０５）の画像を利用して、コンテンツ選択メニューを作成、表示する、
（Ｓ２３）同様に、タイトル数（対応番号０６）及び各タイトルのジャケット画像ファイル名（対応番号０８）の画像を利用して、タイトル選択メニューを作成、表示する、
（Ｓ２４）表示されたコンテンツ代表画像及びタイトルジャケット画像をユーザがメニューより選択する、
（Ｓ２５）ユーザにより選択されたコンテンツ代表画像から、再生すべきサブディレクトリを決定する、
（Ｓ２６）決定されたサブディレクトリ内のタイトル数（０６）が、１つかどうかを判定する、
（Ｓ２７）（Ｓ２６）において、タイトル数（０６）が１つの場合は、通常のＤＶＤ再生を実行する。（ＦＰ＿ＰＧＣＩ（ディスク挿入後に最初に処理されるコマンド情報の集合）があればこれを実行）、
（Ｓ２８）（Ｓ２６）において、タイトル数（０６）が複数の場合は、ユーザにより選択されたタイトルジャケット画像から、再生すべきタイトルを決定する、
（Ｓ２９）（Ｓ２８）にて決定したタイトル再生を実行する。（タイトル指定再生ファンクションを実行）、
終了：。
【００４４】
図１４は、図１３で説明した画像を使用したメニューが画面で表示された例を示している。図１４に示す様に、コンテンツ選択メニューＰＭ１は、Ａ社のメタデータファイルに格納されるテキスト情報及びコンテンツ代表画像ファイル名（対応番号０５）と、Ｂ社のメタデータファイルに格納されるテキスト情報及びコンテンツ代表画像ファイル名（０５）を使用して、選択メニューを作成、表示することを示している。
【００４５】
また、Ａ社のコンテンツを選択した場合、Ａ社のメタデータファイルに格納されたテキスト情報のタイトル数（対応番号０６）及びタイトルジャケット画像ファイル名（対応番号０８）を使用して、“ＣＯＮＴＥＮＴ＿Ａ１”のタイトル選択メニューＰＭ１１を作成、表示する。同様に、Ｂ社のコンテンツを選択した場合、Ｂ社のメタデータファイルに格納されたテキスト情報のタイトル数（対応番号０６）及びタイトルジャケット画像ファイル名（対応番号０８）を使用して、“スポーツ”のタイトル選択メニューＰＭ１２を作成、表示する。
【００４６】
図１５は、本発明の再生装置を制御するリモートコンテロール装置（リモコン）の例を示す。同図に示す様に、リモコンのボタンには、電源の入／切を行う電源ボタンＢ１、タイトル指定等に使用される番号ボタン群Ｂ２、再生／停止等の動作を制御する動作ボタン群Ｂ３、ＤＶＤメニューの呼び出しを行うＤＶＤメニュー呼出ボタン群Ｂ４、その他の機能が設定できる機能ボタン群Ｂ５、及びディスクに格納される複数のコンテンツの切替をメニュー選択で行うプレーヤメニューボタンＢ６から構成される。
【００４７】
上記した装置は以下のような利点を有する。図２に示した様に、特定のディレクトリ（ＶＩＤＥＯ＿ＤＣ）内のサブディレクトリ（例えば、ＶＩＤＥＯ＿Ａ１）毎にＤＶＤのディスクイメージを格納することができる構成とした。このため、コンテンツ自体を作り変える事無く、異なるコンテンツ（或いは異なるメーカー間のコンテンツ）を１つのディスクに複数格納することができる。
【００４８】
また、再生装置は、特定のディレクトリ（ＶＩＤＥＯ＿ＤＣ）内のサブディレクトリ毎に、従来のＤＶＤビデオフォーマットのディスクイメージのまま再生することができ、従来のＤＶＤビデオ再生装置の再生制御モジュールを利用することができる。
【００４９】
さらに、図５に示した様に、ＤＶＤディスクイメージを格納するサブディレクトリ毎に、コンテンツ供給者が新たに用意した配信コンテンツの情報（コンテンツ名、タイトル数及び各タイトル名）を記録したメタデータファイルと、コンテンツを代表する画像及びタイトルジャケットの画像ファイルを利用して、ディスクに格納されるコンテンツ（タイトル）を選択するメニュー（図１２又は図１４参照）を再生装置側で作成することができる。
【００５０】
この発明は上記の実施形態に限定されるものではない。さらに発明の他の実施例を以下に説明する。
【００５１】
図１６は、ダウンロード用ビデオコンテンツの構造例を示す。ダウンロード用ビデオコンテンツＣ１は、コンテンツ・ヘッダＣ１１、暗号化保護されていないコンテンツ（非保護コンテンツ）Ｃ１２及び暗号化保護されているコンテンツ（保護コンテンツ）Ｃ１３を含む。
【００５２】
暗号化保護されていないコンテンツ（非保護コンテンツ）Ｃ１２及び暗号化保護されているコンテンツ（保護コンテンツ）Ｃ１３は、ＤＶＤビデオ規格に準拠しており、図６（Ａ）に示した様に、ビデオマネージャ（ＶＭＧ）と１つ以上のビデオタイトルセット（ＶＴＳ）を有する。また図７に示した様に、ビデオマネージャ（ＶＭＧ）は、ビデオマネージャ情報（ＶＭＧＩ）、ビデオマネージャメニュー用のビデオオブジェクト（ＶＭＧＭ＿ＶＯＢＳ）及びビデオマネージャ情報のバックアップ（ＶＭＧＩ＿ＢＵＰ）を有する。さらに図８に示した様に、１つのビデオタイトルセット（ＶＴＳ）は、ビデオタイトルセット情報（ＶＴＳＩ）、ビデオタイトルセットメニュー用のビデオオブジェクト（ＶＴＳＭ＿ＶＯＢＳ）、ビデオタイトルセットタイトル用ビデオオブジェクト（ＶＴＳＴＴ＿ＶＯＢＳ）及びビデオタイトルセット情報のバックアップ（ＶＴＳＩ＿ＢＵＰ）を有する。
【００５３】
これらのデータ構造は、ＶＭＧを基点として、ＶＭＧ内の各データ及び各ＶＴＳと適切な配置関係でディスク上に記録される必要がある。
【００５４】
コンテンツ・ヘッダＣ１１は、上述した配置関係に係る情報を含んでおり、非保護コンテンツＣ１２及び保護コンテンツＣ１３に関して、それぞれのコンテンツを構成するデータ構造のサイズ情報が格納されており、この情報を利用して、各データの適切な配置関係を保ったまま、記録型ディスク２００に記録することが可能である。非保護コンテンツＣ１２は、従来のＤＶＤ−Ｖｉｄｅｏ規格に対応する部分で、図２で説明したＶＩＤＥＯ＿ＴＳディレクトリＤ１１に格納されるコンテンツである。また、保護コンテンツＣ１３は、図２で説明したＶＩＤＥＯ＿ＤＣディレクトリＤ１２直下（サブディレクトリではなく）に格納されるコンテンツである。
【００５５】
図１７は、記録型ディスク２００に、図１６で説明したダウンロード用ビデオコンテンツを記録した時のボリューム空間の例である。ＤＶＤ記録媒体のボリューム空間Ｚ１には、図６で説明したように、少なくともボリューム＆ファイル構造Ｚ１１、ＤＶＤビデオゾーンＺ１２及びＤＶＤ−ＤＣゾーンＺ１３が含まれる。
【００５６】
こうすることにより、従来のＤＶＤ再生装置においては、従来通り、ＤＶＤビデオゾーン（ＶＩＤＥＯ＿ＴＳディレクトリ）から再生開始することができる。
【００５７】
図１８は、図１６で説明したコンテンツ・ヘッダＣ１１の内容を示している。同図に示す様に、ＤＶＤビデオゾーンＺ１２のサイズ、ＤＶＤビデオゾーン内のＶＭＧの構造の内容（図１９に示す）、ＤＶＤビデオゾーン内の１つ以上のＶＴＳの構造の内容（図２０に示す）を含んでいる。同様に、ＤＶＤ−ＤＣゾーンＺ１３のサイズ、ＤＶＤ−ＤＣゾーン内のＶＭＧの構造の内容（図１９に示す）、ＤＶＤ−ＤＣゾーン内の１つ以上のＶＴＳの構造の内容（図２０に示す）を含んでいる。
【００５８】
ＤＶＤビデオゾーンＺ１２のサイズは、ＤＶＤビデオゾーンＺ１２に含まれるコンテンツを格納するのに必要なサイズを、論理ブロックＬＢ（ＬＢ＝２０４８バイト）数で示す。同様に、ＤＶＤ−ＤＣゾーンＺ１３のサイズは、ＤＶＤ−ＤＣゾーンＺ１３に含まれるコンテンツを格納するのに必要なサイズを、論理ブロックＬＢ（ＬＢ＝２０４８バイト）数で示す。
【００５９】
図１９は、ＤＶＤビデオゾーンＺ１２又はＤＶＤ−ＤＣゾーンＺ１３内のＶＭＧ４１１及びＶＭＧ４２１の構造の内容を示す。同図に示す様に、ＶＭＧＩ４１１ａ及びＶＭＧＩ４２１ａのサイズ、ＶＭＧＭ＿ＶＯＢＳ４１１ｂ及びＶＭＧＭ＿ＶＯＢＳ４２１ｂのサイズ及びＶＭＧＩ用バックアップＶＭＧＩ＿ＢＵＰ４１１ｃ及びＶＭＧＩ＿ＢＵＰ４２１ｃのサイズが含まれる。各サイズは、論理ブロックＬＢ（ＬＢ＝２０４８バイト）数で示す。
【００６０】
図２０は、ＤＶＤビデオゾーンＺ１２又はＤＶＤ−ＤＣゾーンＺ１３内のＶＴＳ４１２及びＶＴＳ４２２の構造の内容を示す。同図に示す様に、ＶＴＳＩ４１２ａ及びＶＴＳＩ４２２ａのサイズ、ＶＴＳＭ＿ＶＯＢＳ４１２ｂ及びＶＴＳＭ＿ＶＯＢＳ４２２ｂのサイズ、ＶＴＳＴＴ＿ＶＯＢＳ４１２ｃ及びＶＴＳＴＴ＿ＶＯＢＳ４２２ｃ及びＶＴＳＩ用バックアップＶＴＳＩ＿ＢＵＰ４１２ｄ及びＶＴＳＩ＿ＢＵＰ４２２ｄのサイズが含まれる。各サイズは、論理ブロックＬＢ（ＬＢ＝２０４８バイト）数で示す。
【００６１】
上記したように図１６及び図１８に示した様に、ダウンロード用ＤＶＤビデオコンテンツの構造において、コンテンツ・ヘッダＣ１１を持つことにより、それぞれのコンテンツを構成するデータ構造のサイズ情報が格納されているので、この情報を利用して、ダウンロードされたＤＶＤビデオコンテンツを、ＶＭＧを基点として、各データの適切な配置関係を保ったまま、記録型ディスク２００に記録することが可能である。
【００６２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６３】
【図１】本発明が適用された実施例の記録再生装置を示すブロック図である。
【図２】この発明の一実施形態に係るディレクトリ（フォルダ）構成の一例を示す図である。
【図３】ＤＶＤ−Ｖｉｄｅｏ規格のＶＩＤＥＯ＿ＴＳディレクトリＤ１１に格納されるファイルの構成例を示す図である。
【図４】この発明に係るＶＩＤＥＯ＿ＤＣディレクトリＤ１２に格納されるディレクトリ及びファイルの構成例を示す図である。
【図５】図４で示したＶＩＤＥＯ＿ＤＣディレクトリＤ１２に格納されるＤＶＤディスクイメージを構成するコンテンツのファイル群に加えて、コンテンツ供給者が新たに配信用に用意した、配信コンテンツの情報を記録したメタデータファイル、コンテンツの代表画像ファイル及びタイトルジャケットの画像ファイル等のコンテンツ情報ファイル群４２３を格納する例を示す図である。
【図６】本発明を採用したディスク（ボリューム空間）上のデータ配置例を示す図であり、図６（Ａ）は、Ａ社のダウンロードコンテンツを記録する場合、図６（Ｂ）は、図６（Ａ）の情報に引き続き、Ｂ社のダウンロードコンテンツを記録する場合の記録例を示している。
【図７】図６（Ａ）で示したビデオマネージャ（ＶＭＧ）４１１及びＡ社コンテンツのＡ１ビデオマネージャ（ＶＭＧ）４２１のデータ構造の例を示す図である。
【図８】図６（Ｂ）で示したビデオタイトルセット（ＶＴＳ）４１２及びＡ１ビデオタイトルセット（ＶＴＳ）４２２のデータ構造を示す図である。
【図９】Ａ社のコンテンツ情報ファイル群４２３（又はＢ社のコンテンツ情報４２６）の中のメタデータファイルの一例を示す図である。
【図１０】本発明の方法におけるダウンロードプロセスの例を説明する図である。
【図１１】図９で説明したコンテンツ情報を格納したメタデータファイルを利用して、テキストメニューを表示するための再生プロセスの例を示す図である。
【図１２】図９、図１１で説明したテキストを使用したメニューが画面で表示された例を示す図である。
【図１３】図９で説明したコンテンツ情報を格納したメタデータファイル及び図５で説明したコンテンツ情報ファイル群４２３の画像ファイルを利用して、画像メニューを表示するための再生プロセスの例を示す図である。
【図１４】図１３で説明した画像を使用したメニューが画面で表示された例を示している。
【図１５】本発明に係る再生装置を制御するリモートコンテロール装置（リモコン）の例を示す図である。
【図１６】ダウンロード用ビデオコンテンツの構造例を示す図である。
【図１７】記録型ディスク２００に、図１６で説明したダウンロード用ビデオコンテンツを記録した時のボリューム空間の例を示す図である。
【図１８】図１６で説明したコンテンツ・ヘッダＣ１１の内容の例を示す図である。
【図１９】ＤＶＤビデオゾーンＺ１２又はＤＶＤ−ＤＣゾーンＺ１３内のＶＭＧ４１１及びＶＭＧ４２１の構造の内容を示す図である。
【図２０】ＤＶＤビデオゾーンＺ１２又はＤＶＤ−ＤＣゾーンＺ１３内のＶＴＳ４１２及びＶＴＳ４２２の構造の内容を示す図である。
【符号の説明】
【００６４】
１０…記録ブロック、２０…制御ブロック、３０…再生ブロック、１００…サーバー、１０１…インターネット、１０２…ルーター、１０３…ネットワーク制御部、１０４…データキャッシュ、１０５…データフォーマッタ部、２００…記録型ディスク、２０１…ディスクドライブ部、２０２…ＭＰＵ部、２０３…ＲＯＭ部、２０４…メモリ部、２０５…キー入力部、３００…データプロセッサ部、３０１…分離部、３０２…ビデオデコーダ部、３０３…副映像デコーダ部、３０４…オーディオデコーダ部、３０５…ビデオプロセッサ部、３０６…Ｄ／Ａ変換部。
【図１】
2008011400.tif 000003
【図２】
2008011400.tif 000004
【図３】
2008011400.tif 000005
【図４】
2008011400.tif 000006
【図５】
2008011400.tif 000007
【図６】
2008011400.tif 000008
【図７】
2008011400.tif 000009
【図８】
2008011400.tif 000010
【図９】
2008011400.tif 000011
【図１０】
2008011400.tif 000012
【図１１】
2008011400.tif 000013
【図１２】
2008011400.tif 000014
【図１３】
2008011400.tif 000015
【図１４】
2008011400.tif 000016
【図１５】
2008011400.tif 000017
【図１６】
2008011400.tif 000018
【図１７】
2008011400.tif 000019
【図１８】
2008011400.tif 000020
【図１９】
2008011400.tif 000021
【図２０】
2008011400.tif 000022